(57)【要約】【課題】角部に切り欠きを有するおにぎり用包装体の製造工程における要求精度を軽減する。【解決手段】短手方向に２分割するための帯状の切り取りによる分断手段を有すると共に、長方形の表側フィルムに、短手方向に２分割した裏側フィルムを重ね合わせ、裏側フィルムのフィルム片同士の重なり部を除いた表側フィルムと裏側フィルムの周縁同士を接合することにより内部にシート状食品を収容するための袋部を構成すると共に、短手辺の両角部に切り欠き１０を設けた包装体Ｍを、長尺の原反フィルムＦより切り出して製造する工程において、原反フィルムの幅方向に対して切り出し予定の包装体を複数列配し、原反フィルムの両端及び中央に位置する包装体の角部の切り欠き予定箇所を、カッターにより隣り合う列の角部をまとめて切り落とす場合に、切り落とされるべき包装体の切り欠きの形状を隅を丸く切り落としたＬ字型とする。【選択図】      図１
2004182254.tif 000002
【特許請求の範囲】
【請求項１】
短手方向に２分割するための帯状の切り取りによる分断手段を有すると共に、おにぎりを被包可能な大きさを有する長方形の表側フィルムに、短手方向に２分割した裏側フィルムを重ね合わせ、裏側フィルムのフィルム片同士の重なり部を除いた表側フィルムと裏側フィルムの周縁同士を接合することにより内部にシート状食品を収容するための袋部を構成すると共に、短手辺の両角部に切り欠きを設けた包装体を、長尺の原反フィルムより切り出して製造する工程において、原反フィルムの幅方向に対して切り出し予定の包装体を複数列配し、原反フィルムの両端及び中央に位置する包装体の角部の切り欠き予定箇所を、カッターにより隣り合う列の角部をまとめて切り落とす場合に、切り落とされるべき包装体の切り欠きの形状を隅を丸く切り落としたＬ字型としたことを特徴とするおにぎり用包装体の角部切り欠き方法。
【請求項２】
切り欠きは包装体の前後の両短手辺の両角部に設けられる請求項１記載のおにぎり用包装体の角部切り欠き方法。
【請求項３】
切り欠きは包装体の前方の短手辺の両角部にのみ設けられる請求項１記載のおにぎり用包装体の角部切り欠き方法。
【請求項４】
シート状食品は海苔である請求項１から３の何れかに記載のおにぎり用包装体の角部切り欠き方法。
【発明の詳細な説明】
【０００１】
【発明の属する技術分野】
この発明はおにぎり（にぎり飯）の包装体の製造方法に関し、より詳細には三角形のおにぎりに対し海苔などのシート状食品を隔離状態で被包しながら包装し、包装の開封及び取り去りと同時にシート状食品がおにぎりの表面に巻き付けられる作用を生じる包装体の角部の切り欠き方法に関する。
【０００２】
【従来の技術】
三角形のおにぎりを被包可能な大きさを有すると共に、短手方向に２分割するための帯状の切り取りによるカットテープなどの分断手段５２を有する長方形の表側フィルム５１に、短手方向に２分割した一対のフィルム片により表側フィルムを覆うと共に表側フィルムの分断手段に位置する箇所にフィルム片同士の重なり部５５を設けた裏側フィルム５３、５４を重ね合わせ、裏側フィルムのフィルム片同士の重なり部を除いた表側フィルムと裏側フィルムの周縁同士を接合５７することにより内部にシート状食品Ｓを収容するための袋部５６を構成した食品用包装体Ｍが公知であった（図８参照）。この包装体Ｍは裏側フィルム５３、５４側をおにぎりＲ側に接触させておにぎりを包装するものであるが、具体的にはおにぎりの底面を包装体Ｍの前後の中央付近に位置させると共に包装体Ｍの後半分でおにぎりの背面を覆った後、前半分で正面を覆う。この場合、おにぎりは三角形であるのに対し包装体Ｍは長方形であるので、包装体の左右に包装体の前方の短手辺の角部を頂点とした三角部分Ａ、Ａが残るが、この三角部分をおにぎりの背面を覆っている包装体の後半分の上に折り返して重ね、更にその上にラベルＬを貼着することにより包装状態を固定する（図９参照）。そして、開封にあたっては表側フィルム５１に施された分断手段（カットテープ）５２をおにぎりＲの正面側から引っ張り上げることにより表側フィルムを左右に順次分断する。この場合、裏側フィルム５３、５４は既に一対のフィルム片により左右に分割されているのであるから、包装体Ｍは結局左右に分割されることとなり、左右に引くことにより袋部５６に収容されたシート状食品Ｓを残して包装体Ｍは取り去られ、シート状食品のみがおにぎりＲの表面に包装されて残ることとなる。又、貼着されたラベルＬは表側フィルム５１に施された分断手段により同時に分断される。
【０００３】
前記の従来技術においては折り返して重ねられる包装体Ｍの前方の短手辺の角部を頂点とした三角部分Ａ、ＡはおにぎりＲの左右の斜面に沿って折り返されるので角部付近において互いに重なることとなる。一方、その上には更にラベルＬが重なるので三重の重なり部分Ｘが生じることとなる（図９参照）。この場合、前記の表側フィルム５１に施された分断手段５２は上記の三重の重なり部分Ｘを縦断するので、ラベルＬの他に裏側フィルム５３、５４の三角部分Ａ、Ａも同時に分断しなくてはならず、往々にしてこの部分で分断手段が千切れるなどの分断の失敗が生じた。
【０００４】
そこで、以上の問題を解消するために図１０に示すように前記の包装体Ｍの短手辺の両角部に分断手段５２と平行な直線とこの直線に対して傾斜した直線からなるく字状の切り欠き６０、６０を設けた発明が提案されていた（公知例としては実公昭５−３６３９０号、実用新案登録第３００１２１２号、特許第３０６１５１７号など。）。この公知発明においては、包装体Ｍの前方の角部を頂点とした三角部分Ａ、Ａが包装時に互いに重なるが、包装体の両角部には切り欠き６０、６０が存するので、表側フィルム５１に施された分断手段５２の縦断箇所には三角部分Ａ、Ａが重ならない部分Ｙが生じることとなる（図１１参照）。その結果、この公知発明においては分断手段５２による分断がラベルＬ箇所で阻まれることが防止される。
【０００５】
ところで、この種の包装体Ｍは自動包装機により大量生産されるのが通例である。その工程としては、表側フィルム５１となる１枚の長尺の原反フィルムと、裏側フィルム５３、５４となる２枚の長尺の原反フィルムをそれぞれの原反ロールから繰り出して重ねると共に、これらの間にシート状食品を介在させて多数の包装体Ｍが連続したフィルムを作り、更にこれらのフィルムの所要箇所をヒートシールにより接合すると共に、裁断装置により所要の包装体の大きさに切り出す方法が一般的である。
【０００６】
前記の場合、裁断は包装体Ｍの短手方向に沿った直線状の切り出しＬ１と、長手方向に沿った直線状の切り出しＬ２により行い、前記した角部のく字状の切り欠き６０に関しては、専用のカッターにより別工程として切り落としていた。
【０００７】
【発明が解決しようとする課題】
一方、製造効率からは図１２に示すように、幅広の原反フィルムＦの幅方向に対して切り出し予定の包装体Ｍを複数列（ここでは２列）配した方がよい。この場合、包装体の角部の切り欠き６０の予定箇所は原反フィルムＦの幅方向両端の他、中央にも存することとなり、これらはカッターにより隣り合う列の角部をまとめて切り落とすことになる。即ち、上記の中央の予定箇所においては４枚の包装体Ｍの角部同士が隣り合うことになり、これらの切り欠き６０をまとめて一つのカッターにより切り落とすことになる。
【０００８】
そして、各包装体Ｍの切り欠き６０は直線とこの直線に対して傾斜した直線からなるく字状のものなので、これらをまとめて切り落とすカッターの形状は上下に長い六角形となり、上下の鋭角の角部が原反フィルムＦを左右に切り離して左右の包装体Ｍを得るための直線状の切り出しＬ２上に位置しなければならない。
【０００９】
この場合、仮にカッターの切断位置が左右にずれた場合には図１４に示すように包装体Ｍの切り欠き６０端に鋭角に突出した山部分６１が残存することとなる。上記の山部分６１は体裁が悪いだけでなく、山が始まる谷部分が鋭角なのでここを契機として包装体が引き裂かれやすく、おにぎりを包装する過程において支障となる危険があった。
【００１０】
以上の理由により、従来技術の包装体の製造方法においては、切り欠きの切り落とし時の精度を非常に高くしなければならず、それができない場合は幅広の原反フィルムの幅方向に対して切り出し予定の包装体を複数列配する材料取り方法の採用は断念せざるを得なかった。
【００１１】
【課題を解決するための手段】
この発明は以上の従来技術の問題点に鑑みて創作されたものであり、短手方向に２分割するための帯状の切り取りによる分断手段を有すると共に、おにぎりを被包可能な大きさを有する長方形の表側フィルムに、短手方向に２分割した裏側フィルムを重ね合わせ、裏側フィルムのフィルム片同士の重なり部を除いた表側フィルムと裏側フィルムの周縁同士を接合することにより内部にシート状食品を収容するための袋部を構成すると共に、短手辺の両角部に切り欠きを設けた包装体を、長尺の原反フィルムより切り出して製造する工程において、原反フィルムの幅方向に対して切り出し予定の包装体を複数列配し、原反フィルムの両端及び中央に位置する包装体の角部の切り欠き予定箇所を、カッターにより隣り合う列の角部をまとめて切り落とす場合に、角部の切り落としに際し、切り落とされるべき包装体の切り欠きの形状を隅を丸く切り落としたＬ字型としたことを特徴とする。
【００１２】
【発明の実施の形態】
以下、この発明の具体的実施例を添付図面に基づいて説明する。図１はこの発明における包装体Ｍの切り出し前の原反フィルムＦにおいて、切り出し予定線を表した図である。図中符号Ｌ１は包装体Ｍの短手方向に沿った直線状の切り出し、図中符号Ｌ２は長手方向に沿った直線状の切り出しを示し、図中符号１０はカッターにより切り落とされるべき包装体の切り欠きを示す。
【００１３】
前記の切り欠きは図２に示すように、隅１３を丸く切り落としたＬ字型のものであり、より詳細には包装体Ｍの長手側辺と平行な直線部１１と、長手側辺と平行な直線部１２と、丸く切り落とされたこれらの隅１３からなる。即ち、４枚の包装体Ｍの角部同士が隣り合う原反フィルムＦ中央の切り落とし予定箇所においては、これらの切り欠き１０をまとめて切り落とすカッターの形状は上下に長い角丸四角形となる。
【００１４】
従って、この発明の角部切り欠き方法によれば、仮にカッターの切断位置が左右にずれた場合でも、その範囲が前記の直線部１２に止まっている限りは、図３に示すように包装体Ｍの切り欠き１０端には何らの突出分部分も生じないこととなる。
【００１５】
次に図４はこの発明が実施された包装体Ｍを示す図である。この包装体Ｍは表側フィルム１と裏側フィルム４Ａ、４Ｂを、内部にシート状食品を収容するための袋部Ｐを構成するように重合した構成からなる。表側フィルム１はおにぎりＲを被包可能な大きさの長方形からなり、短手方向に２分割するための帯状の切り取りによる分断手段２を有する。この実施例においては分断手段として表側フィルム１の裏側に固着される細幅のカットテープを採用しているが、引き上げることにより表側フィルム１に帯状の切り取りを与えられるものであれば分断手段はカットテープに限られないことは勿論である。又、ここでは分断手段（カットテープ）２の引き上げ開始時における表側フィルム１の引き裂きを容易にするために、表側フィルムの一端の分断手段の開始箇所の左右に一対の切り込み３、３を設けている。
【００１６】
裏側フィルム４Ａ、４Ｂは包装時におにぎりＲの表面に接する側のフィルムであり、表側フィルム１を覆う形状に短手方向に２分割した一対のフィルム片４Ａ及び４Ｂにより構成され、これらのフィルム片は表側フィルムの分断手段２に位置する箇所において一部分が重なる重なり部５を構成する。
【００１７】
表側フィルム１と裏側フィルム４Ａ、４Ｂは、裏側フィルムのフィルム片同士の重なり部５を除いた周縁にヒートシールなどの手段による接合部６を設けて重合されることにより内部にシート状食品Ｓを収容するための袋部Ｐを構成する。尚、この実施例においてはシート状食品Ｓとして海苔を想定しているが、シート状食品は海苔に限定されないことは勿論である。
【００１８】
以上の包装体の長手側の前後の短手辺の両角部には、前記の製造方法による隅１３を丸く切り落とした一対のＬ字型の切り欠き１０、１０が設けられる。Ｌ字型の切り欠き１０はこの実施例では表側フィルムの長手側辺と平行な直線部１１と、長手側辺と平行な直線部１２と、丸く切り落とされたこれらの隅１３からなり、一対の切り欠き同士は分断手段を挟んで対称な形状に構成される。
【００１９】
図５乃至７はこの包装体Ｍによるおにぎりの包装の過程を示す図である。先ず、袋部Ｐにシート状食品Ｓを収容した包装体の前後の中央付近に三角形のおにぎりＲの底部を位置させると共に包装体の後半分でおにぎりの背面を覆う（図３参照）。次いで、包装体Ｍの前半分でおにぎりＲの正面を覆うが、この場合、おにぎりは三角形であるのに対し包装体は長方形であるので包装体の左右に包装体の前方の角部を頂点とした一部切り欠き三角部分Ａ、Ａが残る。そこで、この三角部分Ａ、ＡをおにぎりＲの背面を覆っている包装体の後半分の上に折り返して重ね、更にその上にラベルＬを貼着することにより包装状態を固定する（図６及び７参照）。
【００２０】
以上の包装体Ｍの開封にあたっては表側フィルム１に施された分断手段（カットテープ）２をおにぎりＲの正面側から引っ張り上げることにより表側フィルムを左右に順次分断していく。この分断の過程で分断手段２はおにぎりＲの背面側において包装体の前半分の三角部分Ａ、Ａを包装体の後ろ半分に重ねた状態で固定するラベルＬに差しかかるが、包装体の前半分の短手辺の両角部には一対のＬ字型の切り欠き１０、１０が設けられているのだから分断手段の縦断箇所には三角部分Ａ、Ａは重ならず、分断手段はこれらに阻まれることになく表側フィルム１及びラベルＬを分断しながらそのまま進行する。一方、ラベルＬの上方には三角部分Ａ、Ａの重なり箇所が残るが、三角部分Ａ、Ａはこの箇所においては互いに固着されておらずフリー状態となっているので、分断手段２はこれらの部分を押し開くようにして通過していくこととなる。以上の過程により包装体Ｍの表側フィルム１は左右に分断され、この場合、裏側フィルム４Ａ、４Ｂは既に一対のフィルム片により左右に分割されているのであるから、包装体は結局左右に分割されることとなる。そこで、先ず分割された一方の包装体を押さえて他方の包装体を引くことにより、シート状食品ＳがおにぎりＲの表面に接触した状態で表れ、今度は表れたシート状食品を押さえて他方の包装体を引くことによりシート状食品の残りの部分がおにぎりの表面に接触した状態で表れ開封が完了する。
【００２１】
尚、以上の実施例においては切り欠き１０、１０は包装体Ｍの長手側の前後両角部に設けられているが、切り欠きは長手側の前方のみに設けられてもよいことは勿論である。
【００２２】
【発明の効果】
以上の構成よりなるこの発明のおにぎり用包装体の角部切り欠き方法によれば、幅広の原反フィルムの幅方向に対して切り出し予定の包装体を複数列配し、原反フィルムの中央に存する複数の包装体の隣り合う角部の切り欠き予定箇所を、カッターによりまとめて切り落とす場合でも、切り落とし位置が若干ずれても得られる包装体にはさしたる影響は生じないので、包装体の効率的な製造が可能となる。又、角が存しない切り欠きはカッターの押圧による剪断（打ち抜き）時に応力が均一となって確実な切り出しが実現され、更に、全体が同時に均一に切れるので皺がフィルムに生じることもない。
【図面の簡単な説明】
【図１】この発明のおにぎり用包装体の角部切り欠き方法が実施される原反フィルムの平面図。
【図２】同上、要部の拡大図。
【図３】この発明のおにぎり用包装体の角部切り欠き方法が実施された包装体の角付近の平面図。
【図４】この発明のおにぎり用包装体の角部切り欠き方法が実施されたおにぎり用包装体の平面図。
【図５】同上、包装の過程を示す斜視図。
【図６】同上、包装の過程を示す正面図。
【図７】同上、包装の完了した状態の正面図。
【図８】従来技術のおにぎり用包装体の平面図。
【図９】同上、包装の完了した状態の正面図。
【図１０】従来技術のおにぎり用包装体の平面図。
【図１１】同上、包装の完了した状態の正面図。
【図１２】従来技術のおにぎり用包装体の角部切り欠き方法が実施される原反フィルムの平面図。
【図１３】同上、要部の拡大図。
【図１４】従来技術のおにぎり用包装体の角部切り欠き方法が実施された包装体の角付近の平面図。
【符号の説明】
Ｆ                原反フィルム
Ｓ                シート状食品
１                表側フィルム
２                分断手段
４Ａ、４Ｂ        裏側フィルム
１０              切り欠き
１３              隅
【図１】
2004182254.tif 000003
【図２】
2004182254.tif 000004
【図３】
2004182254.tif 000005
【図４】
2004182254.tif 000006
【図５】
2004182254.tif 000007
【図６】
2004182254.tif 000008
【図７】
2004182254.tif 000009
【図８】
2004182254.tif 000010
【図９】
2004182254.tif 000011
【図１０】
2004182254.tif 000012
【図１１】
2004182254.tif 000013
【図１２】
2004182254.tif 000014
【図１３】
2004182254.tif 000015
【図１４】
2004182254.tif 000016